(57)【特許請求の範囲】
【請求項１】
スクリーンクロスを、左右両側のガイドフレームに沿って、巻き上げ，引き下げ自在に、ガイドフレーム上部に配設されたロール軸に巻装されている窓に付設されるロールスクリーン装置であって、
前記スクリーンクロスは、
繊維を熱可塑性合成樹脂でコーティングしたコーテッドヤーンからなる基布に、
窓側となる前記基布の面にのみ透明な合成樹脂のフィルムが貼着することにより形成されていて、
前記スクリーンクロスの最引き下げの下方の床面の下方の床下領域と、
前記スクリーンクロスと窓との間の領域と、
前記ロール軸の上方の天井面の上方の天井裏領域と、が連通されて、
かつ、室内の領域と区画させた空調空気通路が形成されていることを特徴とする、窓用ロールスクリーン装置。
【請求項２】
前記基布が粗目組織を有する、請求項１記載の窓用ロールスクリーン装置。
【請求項３】
前記基布が、塩化ビニールをガラスヤーンにコーティングしたコーテッドヤーンで織製し、ヒートセットしたガラスクロスである、請求項１又は２のいずれか１項に記載の窓用ロールスクリーン装置。
【請求項４】
前記基布の面に貼着される合成樹脂のフィルムが、平坦外面を有するフッ素系フィルムであって、ポリエステル系接着剤で基布に貼着される、請求項１〜３のいずれか１項に記載の窓用ロールスクリーン装置。
【請求項５】
前記基布が、前記繊維をバスケット織に織製することにより形成されている、請求項１〜４のいずれか１項に記載の窓用ロールスクリーン装置。
【発明の詳細な説明】
【０００１】
【発明の属する技術分野】
本発明は、主としてオフィスビル等の高層建造物の広面積の窓に、遮光を主目的として付設されるロールスクリーン装置に関するものである。
【０００２】
【従来の技術】
オフィイスビル等の高層建造物の開口面積の広い窓に付設されるロールスクリーン装置としては、既に、特開昭６２ー１８５９９２号公報，特開平７ー１８９５９号公報あるいは特開平８ー１４６４４号公報に示されるもの等が知られているが、いずれのロールスクリーン装置も、スクリーンとしては布帛，合成樹脂フィルム等を用い、遮光性，透視性という窓用スクリーンとして一般的に要求される性質を具備するものが用いられているに過ぎず、遮光性，透視性，視覚的な形態・色調の安定性，静穏性等に関する人間工学的な改善の必要性があることや、その改善手段が如何なるものであるかという点についても全く開示するところが無い。
【０００３】
【発明が解決しようとする課題】
織物，編物等の布帛を基布とし、これに耐久性，耐候性を付与するため、両面に合成樹脂層を形成したロールスクリーン用のスクリーンクロスは、室内側のスクリーン面に、室内灯による反射光である所謂テカリが生ずるのみでなく、基布が布帛の場合に、スクリーン全体としてのカーリングやフレアー等の波打ちあるいは織目の歪み等がロールスクリーン面に生じて形態安定性を欠き、室内から観た場合に、形態や色調について、視覚的に安定性を欠いたり、静穏性を欠く等の問題があり、この凹凸や波打ち等を除くため、合成樹脂層を厚くすれば、逆に、重量増，コスト高，異質感等を増大させる問題を生ずる。
【０００４】
更に直射日光に曝される使用環境では、紫外線の影響による耐久性や耐候性が不十分となり、また繊維や合成樹脂の種別の選定が当を得ず、断熱性，難燃性に問題があり、更にはスクリーンクロスによる遮光性，透視性の調節も考慮されていない問題も存した。
【０００５】
このため本発明では、布帛特に織物を基布としているにも拘らず、耐久性，耐候性に優れ、外光の反射性が優れ、室内側に所謂反射テカリが生ぜず、しかも室内側に布帛特に織物の組織を現わすことができ、従って、色彩，柄等の意匠デザインの設計の自由度が大きく、遮光性，透視性，スクリーンクロスとしての形態安定性等が優れており、室内側から観た場合の視覚的な安定性，静穏性を保持すると共に、遮光性，透視性の調節、スクリーン面の清拭も可能であり、しかも比較的軽量であって人間工学的に優れ、断熱性を付加することができる窓用ロールスクリーン装置を提供することを課題としている。
【０００６】
【課題を解決するための手段】
前記課題を解決するため、本発明では、スクリーンクロスを、左右両側のガイドフレームに沿って、巻き上げ，引き下げ自在に、ガイドフレーム上部に配設されたロール軸に巻装されている窓に付設されるロールスクリーン装置であって、
前記スクリーンクロスは、
繊維を熱可塑性合成樹脂でコーティングしたコーテッドヤーンからなる基布に、
窓側となる前記基布の面にのみ透明な合成樹脂のフィルムが貼着することにより形成されていて、
前記スクリーンクロスの最引き下げの下方の床面の下方の床下領域と、
前記スクリーンクロスと窓との間の領域と、
前記ロール軸の上方の天井面の上方の天井裏領域と、が連通されて、
かつ、室内の領域と区画させた空調空気通路が形成されていることを特徴とする、窓用ロールスクリーン装置という構成とし（請求項１）、このような構成とすることにより、日光直射時において、スクリーンクロスと窓ガラスとの間に熱溜りが生じないようにした。
【０００７】
好ましくは、前記基布が粗目組織を有する（請求項２）。
また、好ましくは、前記基布が、塩化ビニールをガラスヤーンにコーティングしたコーテッドヤーンで織製し、ヒートセットしたガラスクロスである（請求項３）。
また、好ましくは、前記基布の面に貼着される合成樹脂のフィルムが、平坦外面を有するフッ素系フィルムであって、ポリエステル系接着剤で基布に貼着される（請求項４）。
また、好ましくは、前記基布が、前記繊維をバスケット織に織製することにより形成されている（請求項５）。
【０００８】
【発明の実施の態様】
図１及び図２は、本発明に用いられるスクリーンクロスの一例を示しており、図１は本発明に使用されるスクリーンクロス１の一例の一部の拡大正面図であり、図２は図１中Ａ−Ａ線切断端面図であって、ガラスヤーンに塩化ビニールをコーティングしたコーテッドヤーンである引揃えられた経糸２，３に、同質の緯糸４，５を引揃えて打ち込み、２／２の斜子織、所謂バスケット織に織製したのち、ヒートセットを施し、塩化ビニールのコーティングとヒートセットとにより、耐久性と耐候性とが向上され、かつ繊維同士と織糸同士とが接着され、ガラス繊維のバラケや毛羽立ちが無く、目ずれが生ずることもなく、形態と寸法の安定性の高い、風合いがよく、しかも清拭しやすい基布６が得られた。
【０００９】
前記基布６の、ロールスクリーン装置としての使用時に、窓側となるべき表面には、フッ素系のフィルム７がポリエステル系接着剤で接着されており、該フィルム７の外面すなわち窓側の表面は平坦面８とされている。
【００１０】
基布６を構成する繊維としては、ガラス繊維のほか、各種の有機，無機の繊維を使用できるが、耐久性，耐候性，形態安定性，難燃性，腰の強さ等の面からガラス繊維が好ましく、織組織としては、製織性，風合い，透視性，形態安定性の面から、前記斜子織が好ましいが、一般的な平織り，綾織り，メッシュ織り等の粗目組織であれば使用でき、粗目のメリヤス組織，網組織等の組み組織であってもよく組織密度や使用糸の太さ等も必要に応じて任意に選定できることは勿論である。
【００１１】
またフィルム７として、フッ素系のフィルムが好ましく、１フッ化，２フッ化，３フッ化，４フッ化，エチレンー３フッ化，エチレンー４フッ化，４ー６フッ化あるいは軟質フッ素系等が使用可能であるが、特に２フッ化フィルムが、基布６との接着性，透視性，耐候性，耐久性等の面で好ましい。
【００１２】
前記スクリーンクロス１としては、室内環境に適した意匠性を付すことが好ましく、そのため基布６の織り柄のほかに、選色，配色の選定も必要であり、織糸をコーティングする熱可塑性合成樹脂の着色、着色されたコーテッドヤーンの糸使い等により、必要とされる色調，意匠効果を奏せしめることができる。そのほか、窓外側を平坦面とした透明な合成樹脂層、図示実施例では、フィルム７とこれと基布６とを接着させる接着剤とを透明な着色材とすることによっても所望の意匠効果を奏させうる。
【００１３】
基布６とフィルム７とを接着する接着剤として、図示実施例では、ポリエステル系接着剤を用いているが、ポリウレタン系，アクリル系等の接着剤も使用できる。しかし黄変しない耐候性の面からは、ポリエステル系接着剤が好ましい。
【００１４】
前記基布６の織り組織，コーテッドヤーンとフィルム７の色彩等による遮光度合は、採光性が重視される北，北西，北東の各側のロールスクリーンとしては、遮光率が４０〜６０％の範囲内、遮光性の重視される南，南西，南東の各側のロールスクリーンとしては、遮光率７０〜９５％の範囲内で選択することが好ましく、更に細かい遮光調節が必要な場合は、後述する発明のごとく、複数枚の遮光率の異なるロールスクリーンの同時適用により行うことが可能となる。
【００１５】
図３，図４および図５は、図１および図２に示したスクリーンクロス１を窓に付設した状態を示しており、建造物の窓部９の室内側に間隔Ｗを存して、スクリーンクロス１の左右のガイドフレーム１０，１１が立設されており、該ガイドフレーム１０，１１は支柱１２，１３に支持されて、床面１４と天井面１５との間に固定配置されており、上部フレーム１６内には、ガイドフレーム１０，１１間に配置され、図示を省略した駆動装置により、巻き上げ駆動，引き下げ駆動されるロール軸１７が配設されている。
【００１６】
スクリーンクロス１は、前記ロール軸１７に巻装され、ロール軸１７と下部フレーム１８との間を上下に巻き上げ，引き下げ駆動され、原則として、窓部９の全開口面積を掩蔽し、あるいは開放して所要の遮光を行う。
【００１７】
ガイドフレーム１０，１１内には、スクリーンクロス１の両側縁部を挟持するよう包被するブラシ状の細毛部１９が形成されており、スクリーンクロス１とガイドフレーム１０，１１との間隙部を完全に埋め、該間隙部における空気の流動を阻止している。この細毛部１９は、上部フレーム１６および下部フレーム１８内にも設けることが好ましい。
【００１８】
前記左右のガイドフレーム１０，１１、支柱１２，１３ならびに上下の各フレーム１６，１８等は、アルミ引き抜き材，アルミ鋳造品あるいは硬質プラスチック成形品等の軽量で加工性の良い材料で製作される。
【００１９】
図５は、図１ないし図４に示されるスクリーンクロスのガイドフレームを室内側へ旋回させる機構を示しており、スクリーンクロス１、左右のガイドフレーム１０，１１、上下の各フレーム１６，１８が、左右のガイドフレーム１０，１１の上部に設けられた軸支部、図示例では、ロール軸１７と同心２０の、図示を省略した軸支部と駆動機構とにより、図５中矢印Ｘで示すごとく室内側上方へ旋回し、停止し、また原位置へ戻りうるように構成されている。従って、矢印Ｘ方向へ回動させ、適宜位置で停止させることにより、スクリーンクロス１の内外面の清拭を行うことができ、常にクリヤーな遮光性，透視性を維持できるように構成されている。
【００２０】
図６は、複数のスクリーンクロスを装着した場合を示しており、左右のガイドフレーム２１と上下のフレーム２２，２３とが、図１ないし図５に示す各フレームに比し幅広に形成され、上部のフレーム２２内に、複数本のロール軸、図示例では２本のロール軸２４，２５が互いに平行に配設され、それぞれのロール軸２４，２５に遮光度合と透視度合とを互いに異にするスクリーンクロス２６，２７が巻装されており、スクリーンクロス２６または２７の単独での使用、あるいは両者の同時使用により、開放を含む４種の度合の遮光性，透視性が得られるようにしたものであり、スクリーンクロスの枚数の増加により、多種の異なる度合の遮光性，透視性を実現できる。なお、図６中符号２８は、ガイドフレーム２１，上下のフレーム２２，２３の回動用の軸支部である。
【００２１】
以上説明した図１ないし図６に示す窓用ロールスクリーン装置は、新設あるいは改装するビル等に工事後に後付けで設置できるのみでなく、既設のビルにも比較的容易に設置することができる。
【００２２】
図７は、本発明の実施の一例を示しており、図５に示すものと同一構造の窓用ロールスクリーン装置１００と空調回路１０１とを組み合わせたロールスクリーン装置であり、スクリーンクロス１０２の下方、すなわち床面１０３の下方の領域１０４と、スクリーンクロス１０２と窓部１０５との間の領域１０６ならびにスクリーンクロス１０２の上方、すなわち天井面１０７の上方の領域１０８との間に、他の室内外の領域と区画された空調空気通路１０９，１１０，１１１を形成し、矢印Ｘ，Ｙ，Ｚで示すごとく、空調空気を流動させ、窓部１０５とスクリーンクロス１０２との間の領域１０６における日照による熱溜りの発生を防止し、冬季においては窓ガラス，スクリーンクロス１０２等の結露を防止できる窓用ロールスクリーン装置たらしめたものである。
【００２３】
図１および図２に示す構造のスクリーンクロス１の基布６として、太さ0.30±0.04ｍｍのガラスヤーンに、白色に着色した塩化ビニールを、ガラスヤーン３９重量パーセント、塩化ビニール６１重量パーセントとなるようにコーティングしたコーテッドヤーンを、経４２本／２５ｍｍ，緯４２本／２５ｍｍの織り密度で、経緯共に、２本ずつ引き揃えて、バスケット織り法で織り上げた厚さ0.45±0.05ｍｍ、重さ430±10ｇ／ｍ2の生地を、ヒートセット機で熱処理したものを用いた。
【００２４】
前記基布６の、窓側とすべき表面に、ポリエステル系の接着剤を用いて厚さ２５ミクロン、重量55.6ｇ／ｍ2の２フッ化系フィルムを貼着した。貼着されたフィルム７の外表面は平坦面８となり、スクリーンクロス１の光線透過率は、JISL1055による評価で30.6％であり、従って、遮光率は69.4％と認定された。
【００２５】
前記スクリーンクロス１が適用される窓部９は、図２，図３に示すごとく、床面１４から天井面１５までの高さが2700ｍｍ、支柱１２，１３間の間隔が3200ｍｍであり、窓部９のガラス内面から250ｍｍ離れた位置に、スクリーンクロス１が位置するようにガイドフレーム１０，１１を立設した。該ガイドフレーム１０，１１は、横断面コ字型とし、フランジ幅120ｍｍ，ウエブ幅４０ｍｍ，長さ2700ｍｍ，厚さ５ｍｍのものとし、固定ベース２８，２９により、それぞれ床と天井とにボルト固定した。またガイドフレーム１０，１１の上下部には、上下のフレーム１６，１８を固定配設し、上方のフレーム１６内に、前記スクリーンクロス１を巻装したロール軸１７を組み付け、図示を省略した駆動装置に結合した。
【００２６】
前記ガイドフレーム１０，１１と、下方のフレーム１８の内腔には、図４に明示されるごとく、空気の流動が生じないように、長さ１５ｍｍ程度の起毛テープよりなるブラシ状の細毛部１９を着植し、ガイドフレーム１０，１１とフレーム１８と、スクリーンクロス１の内外表面との間隙を埋めた。なお、ガイドフレーム１０，１１、上下のフレーム１６，１８と、床面１４、天井面１５、支柱１２，１３との間には、弾性変形容易なフォーミングタイプのシール材を配設するものとする。
【００２７】
【発明の効果】
本発明によると、スクリーンクロスと窓との間の空間領域が、スクリーンクロスの最引き下げ位置の下方の床下領域と、スクリーンクロスのロール軸の上方の天井裏領域とに、一連の空調空気通路として連通されているので、スクリーンクロスと窓との間に、日光の直射で加熱される空気が滞溜することがなく、所謂熱溜りが生じないので、南向きの室であっても良好な空調空間を実現できる効果を奏しうる。
【００２８】
スクリーンクロスの基布が、粗目組織を有していれば、必要とされる透視性をも容易に得ることができ、しかも室内側には、粗目の布帛の組織が凹凸模様として顕われ、所謂反射テカリが生ぜず、視覚的に落ちついた感覚を与えうる効果を奏する。
【００２９】
ガラスヤーンに塩化ビニールをコーティングしたコーテッドヤーンを織成し、ヒートセットした基布を用いれば、耐久性と耐候性が著しく向上し、かつ塑性変形や弾性変形せず、形態と寸法の安定性が向上するのみでなく、ガラス繊維のばらけ，毛羽立ち等が防止されると共に、織物組織同士の接着により、目ずれの発生も防止され、さらにスクリーンクロスとしてのカーリングやフレアー等の波打ちや織り目の歪みの発生を防止でき、しかも難燃性，耐炎性を保持できる効果を奏する。
【００３０】
スクリーンクロスの基布に、フッ素系フィルムをポリエステル系接着剤で接着すれば、接着強度が高く、長期にわたって巻き上げ、引き下げが行われても基布とフッ素系フィルムとの剥離が生ぜず、しかも日光による黄変等が生じない耐候性と耐久性とを保持し、優れた透視性も具備する効果を奏する。
【００３１】
また、前記基布の面に貼着される合成樹脂のフィルムが、平坦外面を有していれば、太陽光線等の外光の反射が良好となり、室内への散乱光の入射が無く、またスクリーンクロスの室内側には平坦面が形成されていないので室内灯による反射テカリが生ぜず、視覚的に安定した静穏な室内環境を保ちうるし、必要とされる遮光性を具備でき、必要に応じてのスクリーンクロスの張設，収納を容易に行いうる等の効果を奏する。
【００３２】
スクリーンクロスの基布を、着色された熱可塑性合成樹脂でコーティングされたコーテッドヤーンで形成すれば、選色と配色とにより、スクリーンクロスの色彩，色柄等の意匠の設計の自由度を大きくしうる効果を奏する。
スクリーンクロスの窓外側の合成樹脂フィルム層および基布に、着色，織柄，糸使い，採色等のデザインを施せば、室内側から観た場合の視覚的な安定感，静穏性等が確保され、居住環境を良好とすると共に、室内調度品との調和も図りうる等の効果を奏する。
少なくとも左右両側のガイドフレームが上部の軸支部を回動軸として、室内側へ旋回できることとすれば、スクリーンクロスを引き下げた状態としたまま、少なくとも左右のガイドフレームを室内側へ旋回させることにより、スクリーンクロスの窓側の表面の清拭を行いうるので、スクリーンクロスを常にくもり，汚染等の無いクリヤーな状態に維持できる効果を奏する。
ガイドフレームの上部に複数本のロール軸を平行に配設し、それぞれのロール軸に、遮光度合，透視度合を異にするスクリーンクロスを巻装すれば、単一の窓用ロールスクリーン装置に、遮光度合，透視度合の異なる複数のスクリーンクロスを配設できるので、個々のスクリーンクロスの選択使用ならびに組み合わせての使用により、多用の遮光度合，透視度合を選択して実現できる効果を奏する。
【図面の簡単な説明】
【図１】 スクリーンクロスの一例の一部分の拡大正面図である。
【図２】 図１中Ａ−Ａ線切断端面図である。
【図３】 図１及び図２に示したスクリーンクロスを窓に付設した状態を示す略示正面図である。
【図４】 図３中Ｂ−Ｂ線断面図である。
【図５】 図３中ＣーＣ線断面における、スクリーンクロスのガイドフレームを室内側へ旋回させる機構を示した断面図である。
【図６】 複数のスクリーンクロスを装着した場合の縦断面図である。
【図７】 本発明の実施の一例の縦断面図である。
【符号の説明】
１，２６，２７ スクリーンクロス
６ 基布
７ フッ素系フィルム
９ 窓部
１０，１１，２１ ガイドフレーム
１７，２４，２５ ロール軸
１０４ スクリーンクロス下方の領域
１０６ スクリーンクロスと窓との間の領域
１０８ スクリーンクロスの上方の領域
１０９，１１０，１１１ 空調空気通路
【図１】
0003832007.tif 000002
【図２】
0003832007.tif 000003
【図３】
0003832007.tif 000004
【図４】
0003832007.tif 000005
【図５】
0003832007.tif 000006
【図６】
0003832007.tif 000007
【図７】
0003832007.tif 000008